(57)【要約】【課題】  ＤＰＤＣＨの受信データが存在しないときにも、処理負荷が低い、環境の変化に対する追従性が高い、通信品質を所定の品質で維持するための送信電力制御方法を提供する。【解決手段】  送信局から受信局へ間欠的に送信されるユーザデータ、および送信局から受信局を含む複数の受信局へ連続的に送信される制御データを、それぞれＤＰＤＣＨおよびＣＰＩＣＨを介して受信するステップと、送信局からＤＰＤＣＨを介してユーザデータを受信しているときに、受信局におけるＤＰＣＣＨの受信信号のＳＩＲが目標ＳＩＲと同じになるようにＤＰＣＣＨの送信局の送信電力を制御するコマンドを生成し、送信局からＤＰＤＣＨを介してユーザデータを受信していないときに、ＣＰＩＣＨの受信品質を用いて目標ＳＩＲを更新して、ＤＰＣＨの送信局の送信電力を制御するコマンドを生成するステップとを含む。【選択図】  図４
2006319462.tif 000002
【特許請求の範囲】
【請求項１】
受信局が、送信局から前記受信局へ間欠的に送信されるユーザデータ、および前記送信局から前記受信局を含む複数の受信局へ連続的に送信される制御データを、それぞれ第１のチャネルおよび第２のチャネルを介して受信するステップと、
前記受信局が、前記送信局から前記第１のチャネルを介して前記ユーザデータを受信しているときに、前記受信局における前記第１のチャネルの受信信号のＳＩＲが目標ＳＩＲと同じになるように前記第１のチャネルの前記送信局の送信電力を制御するコマンドを生成し、前記送信局から前記第１のチャネルを介して前記ユーザデータを受信していないときに、前記第２のチャネルの受信品質を用いて前記目標ＳＩＲを更新して、前記第１のチャネルの前記送信局の送信電力を制御するコマンドを生成するステップと、
を含むことを特徴とする送信電力制御方法。
【請求項２】
前記第１のチャネルの前記送信局の送信電力を制御するコマンドを生成する前記ステップは、前記送信局から前記第１のチャネルを介して前記ユーザデータを受信しなくなったときの前記第２のチャネルの受信品質と、現在の第２のチャネルの受信品質との差分の大きさに応じて前記目標ＳＩＲの更新量を決定するステップを含むことを特徴とする請求項１に記載の送信電力制御方法。
【請求項３】
前記受信局が移動速度検出機能を有し、
前記第１のチャネルの前記送信局の送信電力を制御するコマンドを生成する前記ステップは、前記第１のチャネルを介して前記ユーザデータを受信しないときに、前記検出機能によって検出された前記受信局の移動速度がある一定の速度以上になると中止されることを特徴とする請求項１または２に記載の送信電力制御方法。
【請求項４】
前記受信局が移動速度検出機能を有し、
前記目標ＳＩＲの前記更新量を決定する前記ステップは、前記目標ＳＩＲの前記更新量を前記検出機能から検出された前記受信局の移動速度に応じて調整するステップをさらに含むことを特徴とする請求項２または３に記載の送信電力制御方法。
【請求項５】
送信局から受信局へ間欠的に送信されるユーザデータ第１のチャネルを介して受信する第１の受信手段と、
前記送信局から前記受信局を含む複数の受信局へ連続的に送信される制御データを第２のチャネルを介して受信する第２の受信手段と、
前記第１のチャネルの受信信号のＳＩＲを測定する手段と、
前記第２のチャネルの受信品質を測定する手段と、
前記送信局から前記第１のチャネルを介して前記ユーザデータを受信しているときに、測定された前記第１のチャネルの受信信号の前記ＳＩＲと目標ＳＩＲとを比較し、前記受信局における前記第１のチャネルの受信信号のＳＩＲが目標ＳＩＲと同じになるように前記第１のチャネルの前記送信局の送信電力を制御するコマンドを生成し、前記送信局から前記第１のチャネルを介して前記ユーザデータを受信していないときに、測定された前記第２のチャネルの前記受信品質を用いて前記目標ＳＩＲを更新して、前記第１のチャネルの前記送信局の送信電力を制御するコマンドを生成する手段と、
前記比較結果に基づいて前記送信局の送信電力を制御するコマンドを生成する手段と
を備えたことを特徴とする受信局。
【請求項６】
前記第１のチャネルの前記送信局の送信電力を制御するコマンドを生成する前記手段は、前記送信局から前記第１のチャネルを介して前記ユーザデータを受信しなくなったときの前記第２のチャネルの受信品質と、現在の第２のチャネルの受信品質との差分の大きさに応じて前記目標ＳＩＲの更新量を決定することを特徴とする請求項５に記載の受信局。
【請求項７】
前記受信局が移動速度検出手段を有し、
前記第１のチャネルの前記送信局の送信電力を制御するコマンドを生成する前記手段は、前記第１のチャネルを介して前記ユーザデータを受信しないときに、前記検出手段によって検出された前記受信局の移動速度がある一定の速度以上になると、前記第１のチャネルの前記送信局の送信電力を制御するコマンドの生成を停止することを特徴とする請求項５または６に記載の受信局。
【請求項８】
前記受信局が移動速度検出手段を有し、
前記第１のチャネルの前記送信局の送信電力を制御するコマンドを生成する前記手段は、前記検出手段によって検出された前記受信局の移動速度に応じて前記目標ＳＩＲの前記更新量を調整することを特徴とする請求項６または７に記載の受信局。
【発明の詳細な説明】
【技術分野】
【０００１】
本発明は、無線データ通信を行う送信局と受信局（移動局）との間の送信電力制御方法および装置に関する。
【背景技術】
【０００２】
従来、Ｗ−ＣＤＭＡ通信システムでは、個別物理チャネル（ＤＰＣＨ）の通信品質を所定の品質で維持するために、送信電力制御（トランスミットパワーコントロール）を実施している。
【０００３】
トランスミットパワーコントロールには、各種環境下においてより安定して通信品質を維持するためにインナーループコントロールとアウターループコントロールの二重ループ構造の閉ループトランスミットパワーコントロールを行うことがある。この場合、インナーループコントロールでは、受信局において受信した無線信号（ＤＰＣＣＨ信号）の信号対干渉・雑音比（受信ＳＩＲ）が目標とする信号対干渉・雑音比（目標ＳＩＲ）にできるだけ一致するように対向する送信局に対して送信電力を増減させるように指示を行い、アウターループコントロールでは、受信局におけるＤＰＤＣＨ信号から復号された受信データ（ユーザデータ）の受信ブロック誤り率（受信ＢＬＥＲ：ＢＬｏｃｋ  Ｅｒｒｏｒ  Ｒａｔｅ）が目標のブロック誤り率（目標ＢＬＥＲ）となるようにインナーループコントロールの目標ＳＩＲを増減させる。
【０００４】
ここで、送信局から受信局へユーザデータが間欠的に送信される場合、即ち受信局が間欠的にＤＰＤＣＨを介して受信データ（ユーザデータまたはパケットデータ）を受信する場合は、ユーザデータを受信しない区間では測定対象のデータがないため受信ＢＬＥＲを測定することができない。これに対して、受信ＢＬＥＲを測定することができない区間で、アウターループコントロールで必要な受信ＢＬＥＲを推定する方法が知られている。
【０００５】
アウターループコントロールによる受信データ無し区間の目標ＳＩＲとして固定的な値を用いる提案がある。また、アウターループコントロールによる送受信データ無し区間の目標ＳＩＲの更新制御に個別物理制御チャネルの信号（即ちＤＰＣＣＨ信号）のＢＥＲを用いる方法の提案がある。他のＢＥＲの算出の算出方法として、誤り訂正復号を行った受信データを再度符号化して誤り訂正復号前の受信データとビット比較を行うことにより近似的にＢＥＲの算出を算出する方法（再符号化法）が知られている（例えば、特許文献１および２参照）。
【０００６】
図１に、ユーザデータが送受信されない区間において、ＤＰＣＣＨのパイロットビットを用いて、アウターループコントロールを行う従来の移動局の構成を示す。無線部１０２は、アンテナ１０１により受信された信号（受信信号）に対して、例えば周波数変換等の所定の受信処理を行う。また、無線部１０２は、後述するＤＰＣＨ拡散部１１７からのＤＰＣＨ信号に対して、例えば周波数変換等の所定の送信処理を行い、送信処理がなされたＤＰＣＨ信号を、アンテナ１０１を介して送信する。
【０００７】
ＣＰＩＣＨ逆拡散部１０３は、無線部１０２により受信処理された受信信号に対して、図２（ａ）に示す共通制御パイロットチャネル（ＣＰＩＣＨ）に割り当てられた拡散符号を用いて逆拡散処理を行う。ＣＰＩＣＨは、送信局から連続的に移動局へ送信されるチャネルであり、既知の信号が含まれる。品質測定部１０５は、ＣＰＩＣＨ逆拡散部１０３により逆拡散処理された信号（即ちＣＰＩＣＨ信号）の受信品質（例えば受信誤り率（ＢＥＲ）、受信ＥＣ／Ｎ０（希望信号対雑音電力比）、受信ＲＳＣＰ（レベル）等）を測定する。典型的には、移動局は、ＣＰＩＣＨ信号の受信品質に基づいて、複数の送信局（基地局）のうちから通信する送信局を選択して、ＤＰＤＣＨを用いて通信することができる。
【０００８】
ＤＰＣＨ変調部１１８は、後述するＴＰＣビット生成部１１４によって生成された送信局における送信電力を制御するコマンド（即ちＴＰＣビット）および送信データなどに対して、変調処理を行う。また、ＤＰＣＨ拡散部１１７は、変調処理されたＴＰＣビットおよび送信データなどに対して、本移動局のＤＰＣＨに割り当てられた拡散符号を用いて拡散処理を行うことにより、ＤＰＣＨ信号を生成する。さらに、ＤＰＣＨ拡散部１１７は、生成したＤＰＣＨ信号を上述した無線部１０２に出力する。
【０００９】
ＤＰＣＣＨ逆拡散部１０６は、無線部１０２により受信処理された受信信号に対して、本移動局に割り当てられた拡散符号を用いて逆拡散処理を行う。ＤＰＣＣＨ復調部１０７は、ＤＰＣＣＨ逆拡散部１０６により逆拡散処理された信号に対して復調処理を行うことにより、図２（ｂ）に示すパイロット信号およびＴＦＣＩ信号等を含む復調信号を生成する。また、ＤＰＣＣＨ復調部１０７は、生成された復調信号から移動局に対してＤＰＤＣＨ信号が送信されたかを認識する。ＤＰＣＣＨ復調部１０７は、認識結果をＤＰＤＣＨ逆拡散部１０９、ＤＰＤＣＨ復調部１１０、および目標ＳＩＲ算出部１１６に出力する。
【００１０】
パイロット誤り率計測部１０８は、ＤＰＣＣＨ復調部１０７により復調された受信信号に含まれるパイロット信号の誤り率を算出して目標ＳＩＲ算出部１１６へ出力する。
【００１１】
ＤＰＤＣＨ逆拡散部１０９は、ＤＰＣＣＨ復調部１０７からの認識結果により、本移動局に対してＤＰＤＣＨ信号が送信された旨を認識した場合には、無線部１０２により受信処理された受信信号に対して、逆拡散処理を行う。ＤＰＤＣＨ復調部１１０は、ＤＰＤＣＨ逆拡散部１０９により逆拡散された受信信号に対して、復調処理を行う。
【００１２】
復号部１１１は、ＤＰＤＣＨ復調部１１０により復調処理された受信信号を復号し、誤り訂正等の処理をすることにより、受信データ（ユーザデータ）を生成する。また、復号部１１１は、誤り訂正等の結果を誤り率計測部１１５へ出力する。
【００１３】
誤り率計測部１１５は、誤り訂正等の処理後の受信データの誤り率を算出して目標ＳＩＲ算出部１１６に出力する。
【００１４】
ＳＩＲ測定部１１２は、ＤＰＣＣＨ復調部１０７により復調された受信信号のＳＩＲを測定してＳＩＲ比較部１１３へ出力する。
【００１５】
ＳＩＲ比較部１１３は、ＳＩＲ測定部１１２によって測定されたＳＩＲと、目標ＳＩＲ算出部１１６によって算出された目標ＳＩＲとを比較し、比較結果をＴＰＣビット生成部１１４へ出力する。
【００１６】
ＴＰＣビット生成部１１４は、ＳＩＲ比較部１１３によって出力された比較結果に基づいて、送信局における送信電力を制御するコマンドを生成して、ＤＰＣＨ変調部１１８へ出力する。
【００１７】
目標ＳＩＲ算出部１１６は、パイロット誤り率計測部１０８によって算出されたパイロット信号の誤り率、誤り率計測部１１５によって算出された受信データの誤り率、およびＤＰＣＣＨ復調部１０７による認識結果に基づいて、目標ＳＩＲを算出して、ＳＩＲ比較部１１３の目標ＳＩＲを更新する。
【００１８】
即ち、この目標ＳＩＲ算出部１１６は、移動局に対するＤＰＤＣＨ信号が存在するときには、誤り率計測部１１５からの受信データの誤り率を用いて、移動局に対するＤＰＤＣＨ信号が存在しないときには、パイロット誤り率計測部１０８からのパイロット信号の誤り率を用いて、目標ＳＩＲを算出して、ＳＩＲ比較部１１３の目標ＳＩＲを更新する。
【００１９】
上記の通り、移動局に対するＤＰＤＣＨ信号が存在しないときには、ＤＰＣＣＨのパイロット信号の誤り率を用いて目標ＳＩＲを更新することにより、アウターループコントロールに必要なＢＬＥＲを推定することができる。
【００２０】
【特許文献１】特開２００３−３１８８１８号公報（第６〜１０頁）
【特許文献２】特開２００４−２７４１１７号公報（第２８〜３５段落、第６図）
【発明の開示】
【発明が解決しようとする課題】
【００２１】
しかしながら、送受信データ無し区間の目標ＳＩＲとして固定的な値を用いてアウターループコントロールを行う場合、品質が悪くなっているにもかかわらず、電力を要求しないためにデータの送受信に失敗するという問題や、品質が良くなっているにもかかわらず、過剰に電力を要求するという問題があった。
【００２２】
また、ＤＰＣＣＨのＢＥＲを用いてアウターループコントロールにおける送受信データ無し区間の目標ＳＩＲの更新制御を行う方法では、例えばＢＥＲの算出にＤＰＣＣＨ中のパイロットビットを用いる場合は、無線フレーム当たりのパイロットビット数が少ないために精度を得るためには長時間の平均化が必要であった。しかしながら、長時間の平均は、環境の変化に対する追従性が悪くなる方向であり、環境が急激に変化した場合、適切な目標ＳＩＲの更新が行えないという問題があった。また、誤り訂正復号を行ったデータを再度符号化して誤り訂正復号前の受信データとビット比較を行うことにより近似的にＢＥＲの算出を算出する方法（再符号化法）では、未訂正ビットによる誤差の問題に加えて、処理負荷が高いという問題があった。
【００２３】
本発明は、このような問題に鑑みてなされたもので、その目的とするところは、個別物理データチャネル（ＤＰＤＣＨ）の受信データが存在しないときにも、処理負荷が低い、環境の変化に対する追従性が高い、通信品質を所定の品質で維持するための送信電力制御方法を提供することにある。
【課題を解決するための手段】
【００２４】
本発明は、このような目的を達成するために、請求項１に記載の発明は、送信電力制御方法であって、受信局が、送信局から前記受信局へ間欠的に送信されるユーザデータ、および前記送信局から前記受信局を含む複数の受信局へ連続的に送信される制御データを、それぞれ第１のチャネルおよび第２のチャネルを介して受信するステップと、前記受信局が、前記送信局から前記第１のチャネルを介して前記ユーザデータを受信しているときに、前記受信局における前記第１のチャネルの受信信号のＳＩＲが目標ＳＩＲと同じになるように前記第１のチャネルの前記送信局の送信電力を制御するコマンドを生成し、前記送信局から前記第１のチャネルを介して前記ユーザデータを受信していないときに、前記第２のチャネルの受信品質を用いて前記目標ＳＩＲを更新して、前記第１のチャネルの前記送信局の送信電力を制御するコマンドを生成するステップと、を含むことを特徴とする。
【００２５】
請求項２に記載の発明は、請求項１に記載の送信電力制御方法であって、前記第１のチャネルの前記送信局の送信電力を制御するコマンドを生成する前記ステップは、前記送信局から前記第１のチャネルを介して前記ユーザデータを受信しなくなったときの前記第２のチャネルの受信品質と、現在の第２のチャネルの受信品質との差分の大きさに応じて前記目標ＳＩＲの更新量を決定するステップを含むことを特徴とする。
【００２６】
請求項３に記載の発明は、請求項１または２に記載の送信電力制御方法であって、前記受信局が移動速度検出機能を有し、前記第１のチャネルの前記送信局の送信電力を制御するコマンドを生成する前記ステップは、前記第１のチャネルを介して前記ユーザデータを受信しないときに、前記検出機能によって検出された前記受信局の移動速度がある一定の速度以上になると中止されることを特徴とする。
【００２７】
請求項４に記載の発明は、請求項２または３に記載の送信電力制御方法であって、前記受信局が移動速度検出機能を有し、前記目標ＳＩＲの前記更新量を決定する前記ステップは、前記目標ＳＩＲの前記更新量を前記検出機能から検出された前記受信局の移動速度に応じて調整するステップをさらに含むことを特徴とする。
【００２８】
請求項５に記載の発明は、受信局であって、送信局から前記受信局へ間欠的に送信されるユーザデータ第１のチャネルを介して受信する第１の受信手段と、前記送信局から前記受信局を含む複数の受信局へ連続的に送信される制御データを第２のチャネルを介して受信する第２の受信手段と、前記第１のチャネルの受信信号のＳＩＲを測定する手段と、前記第２のチャネルの受信品質を測定する手段と、前記送信局から前記第１のチャネルを介して前記ユーザデータを受信しているときに、測定された前記第１のチャネルの受信信号の前記ＳＩＲと目標ＳＩＲとを比較し、前記受信局における前記第１のチャネルの受信信号のＳＩＲが目標ＳＩＲと同じになるように前記第１のチャネルの前記送信局の送信電力を制御するコマンドを生成し、前記送信局から前記第１のチャネルを介して前記ユーザデータを受信していないときに、測定された前記第２のチャネルの前記受信品質を用いて前記目標ＳＩＲを更新して、前記第１のチャネルの前記送信局の送信電力を制御するコマンドを生成する手段と、前記比較結果に基づいて前記送信局の送信電力を制御するコマンドを生成する手段とを備えたことを特徴とする。
【００２９】
請求項６に記載の発明は、請求項５に記載の受信局であって、前記第１のチャネルの前記送信局の送信電力を制御するコマンドを生成する前記手段は、前記送信局から前記第１のチャネルを介して前記ユーザデータを受信しなくなったときの前記第２のチャネルの受信品質と、現在の第２のチャネルの受信品質との差分の大きさに応じて前記目標ＳＩＲの更新量を決定することを特徴とする。
【００３０】
請求項７に記載の発明は、請求項５または６に記載の受信局であって、前記受信局が移動速度検出手段を有し、前記第１のチャネルの前記送信局の送信電力を制御するコマンドを生成する前記手段は、前記第１のチャネルを介して前記ユーザデータを受信しないときに、前記検出手段によって検出された前記受信局の移動速度がある一定の速度以上になると、前記第１のチャネルの前記送信局の送信電力を制御するコマンドの生成を停止することを特徴とする。
【００３１】
請求項８に記載の発明は、請求項６または７に記載の受信局であって、前記受信局が移動速度検出手段を有し、前記第１のチャネルの前記送信局の送信電力を制御するコマンドを生成する前記手段は、前記検出手段によって検出された前記受信局の移動速度に応じて前記目標ＳＩＲの前記更新量を調整することを特徴とする。
【００３２】
発明によれば、例えば、共通制御パイロット信号を送信する共通制御パイロットチャネル（ＣＰＩＣＨ）のような、送信局から受信局を含む複数の受信局へ連続的に送信されるチャネルの受信品質を用いてアウターループコントロールの目標ＳＩＲを更新することで、個別物理データチャネル（ＤＰＤＣＨ）のようなチャネルを介してユーザデータが送受信されない場合においても適切な目標ＳＩＲの設定を可能とする。
【００３３】
また、個別物理データチャネルの品質を使用する場合と比較して、処理負荷を低く抑えつつ環境の変化に対する追従性を高くすることが可能である。
【００３４】
あるいは、ＣＰＩＣＨのようなチャネルには送信電力制御が適用されていないこともあり、その品質は、移動局の移動速度が高くなるにつれて劣化する傾向にあり、より高速で移動した場合に過剰な品質（即ち過大な送信電力）を要求してしまう場合がある。本発明によれば、このような過剰品質となることを避けるためには、該チャネルを用いてアウターループコントロールの目標ＳＩＲを更新する制御を、一定の移動速度以上になった場合は中止するように制御することも可能である。
【００３５】
また、品質がよい環境（個別チャネルのＢＥＲがほぼ０となるような環境）から、さらによい環境へ移動した場合、個別チャネルの品質では見かけ上変化がないが、請求項５に記載したように、ユーザデータが送受信されなくなった時点との品質を比較することにより、容易に環境変化を判断することができ、このような品質がよい環境において、過剰に（必要以上に）品質を要求しないように制御することが可能である。
【発明の効果】
【００３６】
以上説明したように、本発明によれば、ユーザデータの送受信がされていない区間においても、アウターループコントロールによる無線環境の変化に応じた目標ＳＩＲの更新制御が可能となり、無線環境が急激に変化した場合においても適切な受信電力を維持することが可能となる。
【発明を実施するための最良の形態】
【００３７】
以下、図面を参照しながら本発明の実施形態について詳細に説明する。  
図３に、本発明の移動局の構成を示す。無線部１０２は、アンテナ１０１により受信された信号（受信信号）に対して、例えば周波数変換等の所定の受信処理を行う。また、無線部１０２は、後述するＤＰＣＨ拡散部１１７からのＤＰＣＨ信号に対して、例えば周波数変換等の所定の送信処理を行い、送信処理がなされたＤＰＣＨ信号を、アンテナ１０１を介して送信する。
【００３８】
ＣＰＩＣＨ逆拡散部１０３は、無線部１０２により受信処理された受信信号に対して、ＣＰＩＣＨに割り当てられた拡散符号を用いて逆拡散処理を行う。品質測定部３０５は、ＣＰＩＣＨ逆拡散部１０３により逆拡散処理された信号（即ちＣＰＩＣＨ信号）の受信品質（例えば受信誤り率（ＢＥＲ）、受信ＥＣ／Ｎ０（希望信号対雑音電力比）、受信ＲＳＣＰ（レベル）等）を測定し、測定されたＣＰＩＣＨ信号の受信品質を目標ＳＩＲ算出部３１６に出力する。
【００３９】
ＤＰＣＨ変調１１８は、ＴＰＣビット生成部１１４によって生成された送信局における送信電力を制御するコマンド（即ちＴＰＣビット）および送信データなどに対して、変調処理を行う。また、ＤＰＣＨ拡散部１１７は、変調処理されたＴＰＣビットおよび送信データなどに対して、本移動局のＤＰＣＨに割り当てられた拡散符号を用いて拡散処理を行うことにより、ＤＰＣＨ信号を生成する。さらに、ＤＰＣＨ拡散部１１７は、生成したＤＰＣＨ信号を上述した無線部１０２に出力する。
【００４０】
ＤＰＣＣＨ逆拡散部１０６は、無線部１０２により受信処理された受信信号に対して、本移動局に割り当てられた拡散符号を用いて逆拡散処理を行う。ＤＰＣＣＨ復調部１０７は、ＤＰＣＣＨ逆拡散部１０６により逆拡散処理された信号に対して復調処理を行うことにより、パイロット信号およびＴＦＣＩ信号等を含む復調信号を生成する。また、ＤＰＣＣＨ復調部１０７は、生成された復調信号から移動局に対してＤＰＤＣＨ信号が送信されたかを認識する。ＤＰＣＣＨ復調部１０７は、認識結果をＤＰＤＣＨ逆拡散部１０９、ＤＰＤＣＨ復調部１１０、および目標ＳＩＲ算出部３１６に出力する。
【００４１】
ＤＰＤＣＨ逆拡散部１０９は、ＤＰＣＣＨ復調部１０７からの認識結果により、本移動局に対してＤＰＤＣＨ信号が送信された旨を認識した場合には、無線部１０２により受信処理された受信信号に対して、逆拡散処理を行う。ＤＰＤＣＨ復調部１１０は、ＤＰＤＣＨ逆拡散部１０９により逆拡散された受信信号に対して、復調処理を行う。
【００４２】
復号部１１１は、ＤＰＤＣＨ復調部１１０により復調処理された受信信号を復号し、誤り訂正等の処理をすることにより、受信データを生成する。また、復号部１１１は、誤り訂正等の結果を誤り率計測部１１５へ出力する。
【００４３】
誤り率計測部１１５は、誤り訂正等の処理後の受信データの誤り率を算出して目標ＳＩＲ算出部３１６に出力する。
【００４４】
ＳＩＲ測定部１１２は、ＤＰＣＣＨ復調部１０７により復調された受信信号のＳＩＲを測定してＳＩＲ比較部１１３へ出力する。
【００４５】
ＳＩＲ比較部１１３は、ＳＩＲ測定部１１２によって測定されたＳＩＲと、後述する目標ＳＩＲ算出部３１６によって算出された目標ＳＩＲとを比較し、比較結果をＴＰＣビット生成部１１４へ出力する。
【００４６】
ＴＰＣビット生成部１１４は、ＳＩＲ比較部１１３によって出力された比較結果に基づいて、送信局における送信電力を制御するコマンドを生成して、ＤＰＣＨ変調部１１８へ出力する。
【００４７】
速度検出部３１９は、移動局の移動速度を検出して目標ＳＩＲ算出部３１６に出力する。
【００４８】
目標ＳＩＲ算出部３１６は、品質測定部３０５によって測定されたＣＰＩＣＨ信号の受信品質、誤り率計測部１１５によって算出された受信データの誤り率、およびＤＰＣＣＨ復調部１０７による認識結果に基づいて、目標ＳＩＲを算出して、ＳＩＲ比較部１１３の目標ＳＩＲを更新する。
【００４９】
即ち、目標ＳＩＲ算出部３１６は、移動局に対するＤＰＤＣＨ信号が存在するときには、誤り率計測部１１５からの受信データの誤り率を用いて、移動局に対するＤＰＤＣＨ信号が存在しないときには、品質測定部３０５からのＣＰＩＣＨ信号の受信品質を用いて、目標ＳＩＲを算出して、ＳＩＲ比較部１１３の目標ＳＩＲを更新する。
【００５０】
より詳細には、目標ＳＩＲ算出部３１６は、ＤＰＣＣＨ復調部１０７による認識結果に従って移動局に対するＤＰＤＣＨ信号が存在しなくなった時点の品質測定部３０５からのＣＰＩＣＨ信号の受信品質を記憶するとともに、品質測定部３０５からのＣＰＩＣＨ信号の受信品質を用いた目標ＳＩＲを算出およびＳＩＲ比較部１１３の目標ＳＩＲの更新を開始する。目標ＳＩＲを算出は、記憶された移動局に対するＤＰＤＣＨ信号が存在しなくなった時点のＣＰＩＣＨ信号の受信品質と、品質測定部３０５から順次出力されるＣＰＩＣＨ信号の受信品質との差分を用いて算出される。目標ＳＩＲ算出部３１６は、復調部１０７による認識結果に従って移動局に対するＤＰＤＣＨ信号が存在まで、品質測定部３０５からのＣＰＩＣＨ信号の受信品質を用いて、目標ＳＩＲの算出およびＳＩＲ比較部１１３の目標ＳＩＲの更新を繰り返す。
【００５１】
上記の通り、移動局に対するＤＰＤＣＨ信号が存在しないときには、ＣＰＩＣＨ信号の受信品質を用いて目標ＳＩＲを更新することにより、アウターループコントロールに必要なＢＬＥＲを推定することができる。目標ＳＩＲを更新するために、ＣＰＩＣＨ信号の受信品質を用いることで、ＤＰＣＣＨのパイロット信号の誤り率を計算する必要が無くなり移動局の処理負担は低減される。
【００５２】
さらに、目標ＳＩＲ算出部３１６は、速度検出部３１９により検出された移動局の移動速度を考慮して、目標ＳＩＲを算出して、ＳＩＲ比較部１１３の目標ＳＩＲを更新するように構成することができる。
【００５３】
より詳細には、目標ＳＩＲ算出部３１６は、移動局に対するＤＰＤＣＨ信号が存在せず移動局が一定速度未満のときは、ＣＰＩＣＨ信号の受信品質を用いて目標ＳＩＲを更新し、移動局に対するＤＰＤＣＨ信号が存在せず移動局が一定速度以上になったときは、ＣＰＩＣＨ信号の受信品質を用いて目標ＳＩＲを更新しないように構成することができる。
【００５４】
あるいは、目標ＳＩＲ算出部３１６は、移動局に対するＤＰＤＣＨ信号が存在しないときは、ＣＰＩＣＨ信号の受信品質を用いて算出される目標ＳＩＲの増減量を、移動局の移動速度に応じて調整した後に、ＳＩＲ比較部１１３の目標ＳＩＲを更新するように構成することができる。
【００５５】
上記のように目標ＳＩＲ算出部３１６を構成することにより、移動局が高速で移動することに伴うＣＰＩＣＨ信号の受信品質の劣化に起因する過剰な品質（送信局における送信電力を過大に増加させるコマンドの生成）を回避することが可能となる。
【００５６】
図４を参照して本発明に係る送信電力制御の実施形態を説明する。
【００５７】
送信局がユーザデータを送信し、受信局が該ユーザデータを受信している場合、目標ＳＩＲ算出部３１６は、移動局は、ＤＰＣＣＨ復調部１０７、ＳＩＲ測定部１１２、ＳＩＲ比較部１１３、およびＴＰＣビット生成部を含むインナーループコントロールと、復号部１１１、誤り率計測部１１５、および目標ＳＩＲ算出部３１６を含むアウターループコントロールとによって送信電力を制御する。即ち、アウターループコントロールの一部として、目標ＳＩＲ算出部３１６は、計測部１１５からの受信データ（ユーザデータ）の誤り率に基づいて、目標ＳＩＲを算出して、ＳＩＲ比較部１１３の目標ＳＩＲの更新を繰り返す（ステップ４０１）。
【００５８】
受信局においてユーザデータの受信が停止すると、目標ＳＩＲ算出部３１６は、ＤＰＣＣＨ復調部１０７からの認識結果により、ＤＰＤＣＨを介したユーザデータの受信が停止したことを認識する（ステップ４０２）。
【００５９】
次いで、目標ＳＩＲ算出部３１６は、品質測定部３０５からのＣＰＩＣＨ信号の受信品質を用いた目標ＳＩＲを算出およびＳＩＲ比較部１１３の目標ＳＩＲの更新を開始する。品質測定部３０５から出力されるＣＰＩＣＨ信号の受信品質によりＣＰＩＣＨの品質判定を行う（ステップ４０３）。
【００６０】
目標ＳＩＲ算出部３１６は、目標ＳＩＲの更新が必要であると決定すると、目標ＳＩＲが算出され、ＳＩＲ比較部１１３の目標ＳＩＲが更新される（ステップ４０４）。例えば、ＣＰＩＣＨの受信品質と目標ＳＩＲを一対一対応させて記憶しておくことにより、目標ＳＩＲを算出することができる。目標ＳＩＲの更新が必要でないと決定すると、ＳＩＲ比較部１１３の目標ＳＩＲは更新されず、現在の目標ＳＩＲが維持される（ステップ４０５）。
【００６１】
目標ＳＩＲ算出部３１６は、ＤＰＣＣＨ復調部１０７からの認識結果により、移動局宛のユーザデータの有無を判定し（ステップ４０６）、ユーザデータが無い場合には、ステップ４０３ないし４０６を繰り返す。
【００６２】
さらに、図５を参照して本発明に係る送信電力制御の別の実施形態を説明する。
【００６３】
送信局がユーザデータを送信し、受信局が該ユーザデータを受信している場合、目標ＳＩＲ算出部３１６は、移動局は、ＤＰＣＣＨ復調部１０７、ＳＩＲ測定部１１２、ＳＩＲ比較部１１３、およびＴＰＣビット生成部１１４を含むインナーループコントロールと、復号部１１１、誤り率計測部１１５、および目標ＳＩＲ算出部３１６を含むアウターループコントロールとによって送信電力を制御する。即ち、アウターループコントロールの一部として、目標ＳＩＲ算出部３１６は、計測部１１５からの受信データ（ユーザデータ）の誤り率に基づいて、目標ＳＩＲを算出して、ＳＩＲ比較部１１３の目標ＳＩＲの更新を繰り返す（ステップ５０１）。
【００６４】
受信局においてユーザデータの受信が停止すると、目標ＳＩＲ算出部３１６は、ＤＰＣＣＨ復調部１０７からの認識結果により、ＤＰＤＣＨを介したユーザデータの受信が停止したことを認識する（ステップ５０２）。
【００６５】
次いで、目標ＳＩＲ算出部３１６は、品質測定部３０５からのＣＰＩＣＨ信号の受信品質を記憶し（ステップ５０３）、品質測定部３０５からのＣＰＩＣＨ信号の受信品質を用いた目標ＳＩＲを算出およびＳＩＲ比較部１１３の目標ＳＩＲの更新を開始する。目標ＳＩＲ算出部３１６は、記憶した移動局に対するＤＰＤＣＨ信号が存在しなくなった時点のＣＰＩＣＨ信号の受信品質と、品質測定部３０５から順次出力されるＣＰＩＣＨ信号の受信品質とを比較することによりＣＰＩＣＨの品質判定を行う（ステップ５０４）。
【００６６】
目標ＳＩＲ算出部３１６は、目標ＳＩＲの更新が必要であると決定すると（ユーザデータ受信停止時のＣＰＩＣＨ信号の品質からの変動が大きい場合（即ちＣＰＩＣＨ信号の受信品質から、ユーザデータの受信再開した際に目標ＢＬＥＲから大きく異なると判断した場合））、目標ＳＩＲが算出され、ＳＩＲ比較部１１３の目標ＳＩＲが更新される（ステップ５０５）。目標ＳＩＲの更新が必要でないと決定すると、ＳＩＲ比較部１１３の目標ＳＩＲは更新されず、現在の目標ＳＩＲが維持される（ステップ５０５）。新たな目標ＳＩＲは、記憶した移動局に対するＤＰＤＣＨ信号が存在しなくなった時点のＣＰＩＣＨ信号の受信品質と、品質測定部３０５から順次出力されるＣＰＩＣＨ信号の受信品質との差分に応じて算出される。例えば、ＣＰＩＣＨ信号の受信品質の差分に応じた目標ＳＩＲの更新量の計算式を移動局で保持し、差分量に応じて目標ＳＩＲの増減量を決定することができる。
【００６７】
目標ＳＩＲ算出部３１６は、ＤＰＣＣＨ復調部１０７からの認識結果により、移動局宛のユーザデータの有無を判定し（ステップ５０７）、ユーザデータが無い場合には、ステップ５０４ないし５０７を繰り返す。
【００６８】
また、本発明に係る送信電力制御のさらに別の実施形態では、上記ステップ４０４またはステップ５０５において、目標ＳＩＲ算出部３１６が速度検出部３１９からの移動局の移動速度に応じて新たな目標ＳＩＲを算出するようにすることができる。移動局の移動速度が速い場合のユーザデータの受信品質は、移動速度が遅い場合のユーザデータの受信品質よりも悪くなる。したがって、移動速度が速い場合には、移動速度が遅いまたは静止している場合に比べて、目標ＳＩＲの増加量を大きくさせるようにすることができる。これにより、移動に伴う環境の変化に対する追従性のより高い電力制御が可能になる。
【００６９】
さらに、上記ステップ４０４またはステップ５０５において、移動局に対するＤＰＤＣＨ信号が存在せず移動局が一定速度以上になったときは、ＣＰＩＣＨ信号の受信品質を用いて目標ＳＩＲを更新しないようにすることができる。これにより、送信局に対して過大な送信電力を要求することを防止することができる。
【図面の簡単な説明】
【００７０】
【図１】従来の、ユーザデータが送受信されない区間においてＤＰＣＣＨのパイロットビットを用いてアウターループコントロールを行う移動局の構成図である。
【図２】（ａ）は基地局から移動局へ送信される共通制御パイロットチャネルのフレーム構成図であり、（ｂ）は個別物理データチャネルと個別物理制御チャネルのフレーム構成図。
【図３】本発明に係る受信局の実施形態の構成図である。
【図４】本発明に係る電力制御方法の実施形態を示すフローチャートである。
【図５】本発明に係る電力制御方法の別の実施形態を示すフローチャートである。
【符号の説明】
【００７１】
１０１  アンテナ
１０２  無線部
１０３  ＣＰＩＣＨ逆拡散部
１０５、３０５  品質測定部
１０６  ＤＰＣＣＨ逆拡散部
１０７  ＤＰＣＣＨ復調部
１０８  パイロット誤り率計測部
１０９  ＤＰＤＣＨ逆拡散部
１１０  ＤＰＤＣＨ復調部
１１１  復号部
１１２  ＳＩＲ測定部
１１３  ＳＩＲ比較部
１１４  ＴＰＣビット生成部
１１５  復号部
１１６，３１６  目標ＳＩＲ算出部
１１７  ＤＰＣＨ拡散部
１１８  ＤＰＣＨ変調部
３１９  速度検出部
【図１】
2006319462.tif 000003
【図２】
2006319462.tif 000004
【図３】
2006319462.tif 000005
【図４】
2006319462.tif 000006
【図５】
2006319462.tif 000007